(57)【特許請求の範囲】
【請求項１】
人体から発生する呼気に含まれる成分に感応する半導体ガスセンサと、前記半導体ガスセンサによる呼気成分の測定を開始させるボタンを有する入力手段と、測定された呼気成分の結果を表示する表示手段と、通信を行うための送受信手段と、前記半導体ガスセンサを内部に有し吹込口を形成した本体ケースと、呼気成分の測定及び測定結果の表示を行う制御手段とを有し、前記制御手段は測定の開始を通信の開始の際に押すボタンによって行い、通話中に発せられる呼気に含まれる成分を測定することが可能であり、前記表示手段に表示される呼気成分の結果は前記送受信手段による通信の終了後に表示されることを特徴とする携帯電話機。
【請求項２】
前記制御手段は、バッテリーの残容量が少ないときに呼気成分の測定を行わないことを特徴とする請求項１に記載の携帯電話機。
【発明の詳細な説明】
【０００１】
【発明の属する技術分野】
本発明は、人体から発生する呼気の臭気成分を測定する測定器に関し、より詳しくは口臭及びアルコール濃度を測定することが可能な携帯電話機に関するものである。
【０００２】
【従来の技術】
人間には本来生理的な口臭が存在しているが、通常成人は１日に１〜１．５リットルの唾液分泌があり、この唾液が十分に口の中にあるときは、殺菌作用、自浄作用、ｐＨを中性に保つ緩衝作用が働き、結果として殺菌の繁殖を抑制し口臭の予防ができると言われている。ところが唾液が少ない例えば朝の起き抜けや長時間の会話の後は口腔内が乾いているため、口臭が発生している。あるいは空腹の時、疲れている時、ニラやニンニク等の強い匂いを有する食べ物を摂取した後等は健康な人でも口臭があるとされている。
【０００３】
また一般に口臭の原因としては、口腔内の温度は体温より約１度高いため、細菌が活発に活動して、食べ滓・歯垢等を原料とし揮発性硫化物を発生させると考えられ、その口臭の成分は、硫化水素（Ｈ２Ｓ）とメチルメルカプタン（ＣＨ３ＳＨ）といわれている。口臭は誰もが持っているが、年齢・体調・食事や歯を磨いてからの経過時間、口腔内の疾病の有無、唾液の分泌量などにより個人差がある。口臭の強い人は自分の口臭に鼻が馴れて、自分自身では口臭に気づかないために、自分で簡単に口臭を測定できる器具を必要としている。逆に第三者は口臭を感じないのに、自分には口臭があると思い込む口臭症の人もいる。
【０００４】
そこで、この口臭を測定することを可能にした測定器が実開平５−２８３２４号公報に開示され、口臭の気になる人、歯周病患者等には実際に提供されている。この口臭測定器は測定器の内部にある半導体ガスセンサに息を吹き込む事で、呼気に含まれている特定のガスを感知するもので、電源がオンされるとまずセンサを熱によりクリーニングし、測定者が息をセンサに吹き込む事で、呼気に含まれている臭度を測定し、測定結果を、文字と図形と一緒に表示する事で口臭の程度を告知するものである。
【０００５】
また、お酒は心身をリラックスさせてストレス解消に役立つと言われているが、飲み方次第では病気にも繋がる。アルコール消費量と肝硬変発生率の増加、アルコール依存症の増加は高い相関関係があるので、適正な飲み方で、適量にとどめる事が必要であり、飲酒量を客観的に何処でも簡単に測定できるものが望まれている。
【０００６】
そこで、この飲酒量を呼気に含まれるアルコール濃度から判定する測定器が実開平４−１５０６３号公報に開示されている。
このアルコール濃度測定器も半導体ガスセンサに息を吹き込む事で、呼気に含まれているアルコールを検知するもので、電源がオンされるとまずセンサを熱によりクリーニングし、測定者が息をセンサに吹き込む事で、呼気に含まれているアルコールを測定し、測定結果より飲酒の量が記載されたＬＥＤを点灯する事で飲酒の程度を告知するものである。
【０００７】
上記、口臭測定器もアルコール濃度測定器も共に半導体ガスセンサを用いて測定するものであるが、この半導体ガスセンサは感ガス材料やセンサの設定条件等を測定しようとする物質に対応して変更することにより、呼気中に含まれているメチルメルカプタン、エチルアルコール等、種々の物質を測定する事が可能である。
【０００８】
一方、移動体電話通信の分野は急速に成長しており、携帯電話の普及率は急激に伸び、多くの人が個人の携帯機器通信端末を保有している現状である。これにより電話機の使用場所の自由度が高まり、外出するときには常に所持され、様々な場所、場面で使用されている。
【０００９】
【発明が解決しようとする課題】
口臭は食後や会話中など他人と接しているときに発生しているかが気になるもので、何処にでも携帯出来るポケットに収納出来る程度の大きさであり、他人に知られずに簡易に測定出来ることが望まれている。しかし、上述した口臭測定器は、測定結果を液晶表示パネルへ文字と図形とを一緒に表示する事で口臭の程度を告知し、更に測定可能状態までの時間をカウントダウンする表示部を別に有しているため、必然的に表示部は文字表示部と図形表示部が必要となり大きくなっていた。その為、測定器自体もやや大きくなっており携帯するには不便であった。また、測定器を使用するときは、測定器の吹込口を口元に当て、呼気を吹き込む動作を行うため、明らかに口臭を測定していることが他人に知られ、使用者のプライバシーからも、他人に測定しているとあまり知られないように望まれていた。
【００１０】
また、アルコール濃度測定器においては、パーティーや宴会の最中に飲み過ぎたかどうかを知りたいのであり、ある程度飲酒しており酔いが廻った状態で使用することが多く、その時点では思考能力が落ちているため、一目で飲酒量が解るように表示される測定器が望まれている。また、突然飲む機会に出くわすこともあり、常にアルコール濃度測定器を携帯していることは面倒であり、簡単に携帯できるものが望まれている。
【００１１】
一方、携帯機器通信端末は、文字通り何処にでも携帯されているが、その用途は通信が主で種々の情報を送受信する事が可能であるが、他にはゲーム感覚の機能を有するものや計算機機能、ラジオ受信機能等を有するものなどが提案されている程度であり、携帯電話の使用中に用いると便利な機能等は提案されていない。これら携帯電話等による通話中は、当然に口腔内は乾き唾液の分泌量は減少するため、その通話中あるいは通話後に口臭が発生していないか気になるものであった。特に携帯電話は外出先で使用されることが多く、その後に他人と接する機会も多いため、口臭の発生は特に気になる問題であった。
【００１２】
この発明は、このような前記問題点を鑑みてなされたものであり、つまり、呼気成分を測定していることが他人知られにくい、呼気中に含まれる臭気成分を測定することが可能な携帯し易いあるいは常に携帯する必然性がある携帯電話機を提供することにある。
【００１３】
【課題を解決するための手段】
本発明に係わる携帯電話機では、人体から発生する呼気に含まれる成分に感応する半導体ガスセンサと、センサによる呼気成分の測定を制御する制御手段と、測定を実行するためのボタンを有する入力手段と、測定された呼気成分の結果を表示する表示手段と、電話信号を無線によって送受信する送受信手段とを有し、前記半導体ガスセンサを内部に有する本体ケースに吹込口を形成し、吹き込まれる呼気に含まれる成分を測定可能なものとした。
【００１４】
更に上記の目的を達成するため本発明に係る携帯電話機は、人体から発生する呼気に含まれる成分に感応する半導体ガスセンサと、センサによる呼気成分の測定を制御する制御手段と、測定された呼気成分の結果を表示する表示手段と、電話信号を無線によって送受信する送受信手段とを有し、前記半導体ガスセンサを内部に有する本体ケースに吹込口を形成し、測定の開始は通信の開始の際に押すボタンによって行われ、通話中に発せられる呼気に含まれる成分を測定することを可能なものとした。
【００１５】
また本発明に係る携帯電話機は、バッテリーの残容量に応じて呼気成分の測定と、通常の通信機能とを制御するものとした。
【００１６】
【発明の実施の形態】
本発明の携帯電話機では、人体から発せられる呼気に含まれている成分に感応する半導体ガスセンサを、携帯電話機ケース体の中に内蔵するものとする。この半導体ガスセンサには感ガス体内に加熱を行うヒータが埋設されており、利用者は測定開始のボタンを押すと、測定準備として半導体ガスセンサの温度が高温となるようヒーターの通電を制御するヒートクリーニングが行われ測定可能な状態となる。利用者は携帯電話機のケース体に設けられた吹込口に呼気を吹き込むものとする。半導体ガスセンサは高温状態下で吹き込まれた呼気により、抵抗値が変化することで、呼気の吹き込みを検知する。呼気を検知すると半導体ガスセンサの温度が低温となるようにヒーターの通電を制御し、その時点での抵抗値を検知する。演算部は高温状態下の呼気の吹き込み直前の抵抗値と、低温移行時における抵抗値の比の値と設定数値とを比較演算し、呼気成分の濃度を求め結果を表示部に表示する。この表示部は通常の電話番号、相手名を表示するのに用いられる携帯電話機本来の表示部をそのまま使用できる。
【００１７】
また本発明は、携帯電話機の主機能である無線通信を行っている時に、自然に行われている会話中に発せられる呼気に含まれている成分を測定することも可能とする。通信の開始にボタンが押されると、通信が可能になるのと同時に、半導体ガスセンサもヒートクリーニングを開始し、測定可能な状態とする。会話中に発せられる呼気を感知したら、呼気成分の濃度を演算・表示する。
【００１８】
また本発明の呼気成分の測定を可能な携帯電話機では、携帯電話機の駆動に必要なバッテリーの残容量をチェックし、残りの容量が少ない場合には呼気成分の測定は行わないものとする。
【００１９】
【実施例】
本発明の実施例を図面を用いて説明する。
図１は本発明を利用した口臭測定機能を有する携帯電話機のブロック図であり、ＣＰＵ（中央処理部）１は各演算、制御を行う処理部であり、ＲＯＭ２に記憶されている種々のプログラムや、ＲＡＭ３に読み込んだデータに基づいて処理を行う。例えば、送受信回路４における発呼の処理等が行われる。ＣＰＵ１には駆動回路５を通じて液晶ディスプレイ６が接続されており、ＣＰＵ１での演算・処理結果である電話番号、相手の名前等の表示が行われる。またＣＰＵ１には操作キー群７が接続されており、これらのキーを用いて電話番号あるいは名前等、種々の情報が入力される。
【００２０】
送受信回路４は携帯電話機の主機能である無線通信を行う種々の機能を有するものでアンテナ８、送話部９、受話部１０が接続されており、送話部９からの音声信号が送受信回路４で所定の送信信号に変換されて、アンテナ８を通じて送信される。またアンテナ８からの受信信号が送受信回路４で音声信号に変換されて、受話部１０に供給される。
【００２１】
またＣＰＵ１には金属製半導体ガスセンサ１１が接続されており、この金属製半導体ガスセンサ１１としては、ヒータコイルをセラミックの絶縁体で覆い、更にその絶縁体を酸化第二錫（ＳｎＯ２）からなる半導体で被覆するのが一般的に用いられているので、これを使用する。この半導体ガスセンサの構造・作用については、特開平１−３５３６８号公報に記載されているので、ここでは詳しく記載しない。ＣＰＵ１はヒーターの通電制御を行う手段や被検知対象ガスの検知を行う検知手段などの機能をプログラム処理する。また図示はしないが、バッテリーとなる充電池が接続されており、ＣＰＵや各回路、半導体ガスセンサ等を駆動するものである。
【００２２】
図２は本発明を利用した携帯電話機の外観図であり、（ａ）は表側（ｂ）は裏側を表す図である。携帯電話機のケース体２１外部には、表側（内側）には内部に受話部１０が設けられた受話口２２と、内部に送話部９が設けられた通話口兼吹込口２３が形成され、裏側（外側）には吹き込まれた呼気が携帯電話内部にこもらないように呼気を逃がす吹抜口２４が形成され、吹込口２３と吹抜口２４はケース体２１の内部で貫通している。また表側には操作キー群７と液晶ディスプレイ６も設けられている。この液晶ディスプレイ６は操作キー群７により入力される電話番号又は着信時の相手方の電話番号あるいは相手先名を表示する他、口臭測定した結果や測定待機中の待ち時間、及びバッテリーの消耗度を文字や図形を用いて告知する等様々な情報を表示するのに使用されるＬＣＤ表示部である。また外部にはアンテナ８、携帯電話の充電池となる取り外し可能な電池パック２５、本携帯電話の未使用時には折り畳んでおく折り畳み機構２６があり、ケース体２１内部には送話部９で音声を感知するマイク、受話部１０であるスピーカー、呼気成分に感応する半導体ガスセンサ１１の他、種々の電子部品や基板などが内蔵されており、マイクと半導体ガスセンサ１１は前記吹込口２３と吹抜口２４の間に配置されている。この半導体ガスセンサ１１は、感ガス体内にヒーターを埋設し、ヒーターの両端はバッテリーの電極端子に接続され、感ガス体の一端に接続される出力電極端子の３端子構造の熱応答速度の速い金属酸化物半導体ガスセンサである。
【００２３】
次に本発明の口臭測定機能を有する携帯電話機の使用手順を図３のフローチャートを用いて説明する。尚このフローチャートは本発明の口臭測定の流れのみを表した図であり、当然に本来の機能である無線通信の機能も有しているが、ここでは省略する。
通常、携帯電話は常に着信待ちのため電源がオンの状態であるが、電源が切れている状態であれば、電源ボタン７１を押すことで携帯電話の主電源を投入する（ステップＳ１）。電源がオンされると、携帯電話機は着信電話の待ち受け状態となる（ステップＳ２）。ここで利用者は測定ボタン７２を押すと、それと同時に回路側では、測定準備として、半導体ガスセンサ１１表面に付着した水分や汚れを除去するするために検知直前にある一定時間、センサ内蔵のヒータの電圧を高くするヒートクリーニングが行われる。これは半導体ガスセンサを長時間使用しなかった場合、センサ感ガス体の表面の保管環境に存在する水分や汚れ成分が付着し、センサの検知性能に影響を与える可能性があるためである。従って、ヒーターコイルを高温で発熱させ、絶縁体及び半導体を高温で一定温度に保っておく。測定ボタン７２が押されるまでは、通常の着信待ち受け状態が続く（ステップＳ３、Ｓ４）。
【００２４】
この測定準備であるヒートクリーニングの待機時間を知らせるために、時間の経過に従って「５→４→３→２→１」と順に減らしていく表示を液晶ディスプレイ６に行う。ヒートクリーニングが完了したら、「０」及び「息を吹きかけて下さい」というメッセージが表示され、測定可能状態になったことを測定者に知らせる（ステップＳ５）。測定者は口元を携帯電話機の吹込口２３に近づけ、吹込口２３に向かい呼気を吹き付ける。この時測定者が、通常携帯電話で話しているような格好で、携帯電話の吹込口に呼気を吹き込めば、他人に測定しているとは解りづらいことになる。
【００２５】
携帯電話機の内部では半導体ガスセンサ１１からの出力信号により、ＣＰＵ１は呼気を感知したものとして（ステップＳ６）、スピーカーから発信音を鳴らし測定者に呼気を検知することが出来たことを知らせる（ステップＳ７）。ここでＣＰＵ１は呼気検知直後に雰囲気が汚染されていないか検知判断し、雰囲気が汚染していると検知判断した場合には呼気検知動作を中止する（ステップＳ８）。これは周囲の雰囲気が汚染されている場合には、呼気の測定が正しく行われないためである。高温に保たれた半導体ガスセンサに呼気中に含まれている硫化物系ガスであるメチルメルカプタン及び炭化水素系ガスであるエチレンの混合ガスが付着すると、これらの物質は燃焼されることにより、半導体ガスセンサ１１の電気抵抗は減少し、ＣＰＵ１側に流れる電流値が大きく変化する。この電流値から求められる抵抗値の変化をＣＰＵ１が基準抵抗値と比較演算することでメチルメルカプタン及びエチレンの混合ガスの濃度を計算し（ステップＳ９）、計算結果に応じた表示を液晶ディスプレイ６に行う。結果の表示は計算された口臭の濃度に応じて表示内容を変える。
【００２６】
この実施例において、結果の表示としては図４に示すように４段階で表示するものとし、呼気に含まれる混合ガスの濃度が０〜０．１９ｐｐｍの範囲は「口臭を感じない」として（ａ）のようにハートマークを３つ表示し、０．２〜０．２９ｐｐｍの範囲は「弱い口臭を感じる時がある」として（ｂ）のようにハートマーク２つ表示し、０．３〜０．４９ｐｐｍの範囲は「口臭を感じる」として（ｃ）のようにハートマーク１つ表示し、０．５ｐｐｍ以上の範囲は「強い口臭を感じる」として（ｄ）のように黒いハートマークをそれぞれ表示し、顔の表情も対応して変化させる。
【００２７】
測定結果が表示され、数秒後に自動的に測定結果の表示が消える事により、測定は終了する。その後、この携帯電話機は通常の着信待ち状態に戻る（ステップＳ１０）。
尚、ここでは測定結果の表示例として２人の顔の表情とハートマークを用いたが、その程度が一目で簡単に解るものとして挙げたのであり、バー表示や簡単な図形で利用者に解りやすい表示であればよい。また、ここでは４段階で口臭のレベルを分けたが、特に限定する必要はない。
【００２８】
次に、携帯電話機で実際に通話を行っている状態から自動的に呼気成分を測定する場合を図５のフローチャートを用いて説明する。この場合も電源ボタン７１を押すことで携帯電話の電源を投入する（ステップＳ１１）。電源がオンされると、携帯電話機の着信電話の待ち受け状態となる（ステップＳ１２）。通話の開始には、自分から電話を掛ける送信の場合と、相手から電話が掛かってくる着信の場合の２通りがあるが、どちらの場合も開始ボタン７３を押すため、この開始ボタン７３を押すことにより、呼気成分の測定準備を開始するものとする（ステップＳ１３）。開始ボタン７３が押されるまでは通常の携帯電話と同様に着信待ち受け状態が続く。
【００２９】
開始ボタン７３が押されると次に充電池である電池パック２５の残容量のチェックを行う（ステップＳ１４）。これは本発明の呼気成分測定は携帯電話機においてはあくまでも付加機能の一部であるので、電話機能を優先する必要がある。従ってバッテリーの残容量が少なければ、この自動的に呼気成分を測定する機能は中止するものとし、この後説明する呼気成分の測定は全く行わず、通常の通信機能のみを行うものとする。また、充電池の残容量に応じて呼気成分の測定を行わないように判定する際に、充電池の変わりに乾電池が用いられている場合も、同様の判定を行うものとする。
【００３０】
充電池の容量が十分であれば、半導体ガスセンサ１１表面に付着した水分や汚れを除去するためにある一定時間、センサ内蔵のヒータの電圧を高くするヒートクリーニングが行われる（ステップＳ１５）。このヒートクリーニング中は測定開始までの待機時間となるが、ここではその時間を知らせる表示は液晶ディスプレイ６に行なわないものとする。これは通常、通話中においては携帯電話機は受話口２２を耳元に当て、また通話口２３を口元に当てて使用するため利用者が表示部を見ることがほとんどないため、この待機時間表示行っても、利用者が気づかないため必要無く、前述の通り携帯電話の分野においては充電池の残量は重要な要素となっているため、なるべく必要のない表示は行わないものとする。その後、半導体ガスセンサの温度を測定のための定格値に戻し、センサ出力が安定するまで待ち、準備が出来た段階で測定が可能な状態となる。
【００３１】
携帯電話機の内部にある送受信回路４では通信を行っているのは無論だが、ここでは通信に関するフローは省略する。それとは別に半導体ガスセンサ１１からの出力信号が得られるまで、呼気の感知待ち状態となる（ステップＳ１６）。これは故意に口臭を測定しようとする前回の場合と違い、会話中に発せられる呼気を用いて測定しようとしているため、会話内容によっては、例えば長時間相手の話を聞いている場合には声を出すことがないため、この場合には呼気の感知待ち状態を続けることとなる。呼気を感知出来ない場合は、一度、雰囲気が汚染されていないか検知判断を行い、雰囲気が汚染していると検知判断した場合には呼気検知動作を中止する（ステップＳ１７）。これは半導体ガスセンサは周囲の雰囲気により正しく測定出来ないものであり、また携帯電話は移動しながら使用する事があり、長時間呼気の感知待ち状態でいる間に、周囲の雰囲気が時々刻々と変化する可能性があるためである。ここで安定していない場合は呼気測定に関する全ての動作を終了し、通常の通信機能のみを行うものとする。雰囲気が汚染されていないと判断されたのであれば呼気の感知待ち状態であるステップＳ１６に戻る。
【００３２】
そして呼気成分のみを測定している前記の場合と同様、高温に保たれた半導体ガスセンサに携帯電話での会話中に発せられる呼気中に含まれている、硫化物系ガスであるメチルメルカプタン及び炭化水素系ガスであるエチレンの混合ガスが付着すると、これらの物質は燃焼されることにより、半導体ガスセンサ１１の電気抵抗は減少し、ＣＰＵ１側に流れる電流値が大きく変化する。この電流値から抵抗値の変化をＣＰＵ１が基準抵抗値と比較演算することでメチルメルカプタン及びエチレンの混合ガスの濃度を計算する（ステップＳ１８）。
【００３３】
求められたガス濃度の表示は直ちに液晶ディスプレイに行っても利用者は表示を見ることが出来ないので、通信が終了したら表示するものとする。通信の終了時は終了ボタン７４を押すので、このスイッチが押されるまで表示を保留する（ステップＳ１９）。終了ボタン７４が押されると、計算結果に応じた表示を液晶ディスプレイ６に行う（ステップＳ２０）。その後、携帯電話機は通常の着信待ち状態に戻ることにより、呼気成分の測定は終了する。
【００３４】
以上、通話状態から測定する方法を挙げたが、勿論、バッテリーの残容量に関わらず、毎回、呼気成分を測定する必要がなければ、設定を変更することで通話中の呼気成分の測定を解除する形態にすることは可能である。また、呼気の感知待ち状態の時間を決めて、一定時間以内に呼気の感知が行われない場合は、強制的に通常の通信状態のみ行うものとし、充電池の消耗を抑えるような構成としてもよい。
【００３５】
また、本来通信の終了する直前に呼気成分を測定するのが望ましいが、通信時間は常に決まっておらず、また終了ボタンを押した時点では、既に会話は終了しているため、それを機会に会話中の測定は出来ない。従って、呼気の成分の測定を会話中に何度も行って、会話の終了する直前のデータを表示する構成とすれば、長時間の会話によって発生した口臭を測定することは可能である。または、単純に一定時間を定めておいて、例えば１０分経過した段階で測定を開始する構成としてもよい。
【００３６】
又は前回の通話履歴から、前回の通信に要した時間と同一の時間だけ今回も会話を行うと仮定して、その時間の直前に測定を開始する構成としてもよいし、あるいは過去の通信に要した平均通話時間から今回の通信時間を仮定して、その直前に測定を開始する構成としてもよい。更には話し相手によっては、長時間の電話になると決まっている場合など、話し相手によって測定開始時間を設定してもよい。
【００３７】
尚、基本的に検知感度を上げるために、呼気吹き込み時に出来るだけセンサに口を近づけて行うのが望ましいため、携帯電話機に呼気成分を測定する機能を持たせた場合も、半導体ガスセンサ部が内部にある通話口２３に口元がくることが望ましく、ここでは折り畳み可能な形態の携帯電話機を用いている。最近の携帯電話はマイクの指向性が高いため、通話口が口元までこない小型のものが普及しているが、この折り畳み可能な携帯電話機は使用形態である開放状態においては、表示部側とスイッチ群側とが僅かな角度を有して開いているため、通話中に受話口を耳元に当てた状態でも通話口が口元にくるものである。従って、ここでは望ましい形態である折り畳み可能な携帯電話機を採用しているが、呼気が測定できれば良いのであって、センサが口元にくる形態であれば特に問題はない。あるいは口元に通話口が届かない形態の電話機であっても、口元に手を翳すことによって呼気成分をセンサに送ることが可能であれば測定は可能なので、特に通話中にセンサが口元にくる必要はなく、形態を限定する必要はない。
【００３８】
また本発明の実施例では呼気成分として口臭を測定するものを挙げたが、呼気に含まれるアルコール成分及びその他の臭気成分も半導体ガスセンサの感ガス材料やセンサの感応レベル、設定条件を測定する成分に対応させることで測定が可能である。
【００３９】
【発明の効果】
本発明は、以上に説明したような形態で実施され、以下に述べるような効果がある。
【００４０】
携帯電話機の内部に半導体ガスセンサを内蔵する程度のスペースと、携帯電話機に当然に必要な表示部や演算部、バッテリーなどを、通信機能と呼気成分の測定に共通して使用する構成を取ることで、携帯電話機自体を殆ど大きくする必要はなくなるうえに、携帯電話機と呼気成分の測定器を別々に携帯する必要がなくなる。
【００４１】
また、携帯電話機に呼気成分を測定可能な半導体ガスセンサを内蔵したことにより、外出先や公共の場所で呼気の測定を行っても、単に電話で会話を行っているように見え、他人に呼気の測定を行っていると知られにくいものとなる。従って、口臭あるいは二日酔いの匂い等に悩んでいる人にとってのプライバシーを守ることにもなる。
【００４２】
また本発明の携帯電話機は、本来の携帯電話機の主機能である無線通信を行う際に、当然に起こる会話中に発せられる呼気を感知し、その中に含まれる成分を、測定することで、特別に呼気成分の測定だけを行う必要がなくなる。更には無線通信を行っていることにより発生している口臭をリアルタイムに測定することが可能となる。
【００４３】
また、会話中に発せられる呼気に含まれる成分を測定する際に、バッテリーの残容量が少ない場合には測定を行わない構成をとることにより、携帯電話機本来の主機能である無線通信を妨げることがなくなる。
【００４４】
【図面の簡単な説明】
【図１】本発明の実施例における携帯電話の回路構成を示すブロック図である。
【図２】本発明の実施例における口臭測定器の外観の表側と裏側を表す図である。
【図３】本発明の実施例における測定の手順を示すフローチャートである。
【図４】本発明の実施例における口臭レベルを表示する図である。
【図５】本発明の別の実施例における測定の手順を示すフローチャートである。
【符号の説明】
１  ＣＰＵ
２  ＲＯＭ
３  ＲＡＭ
４  送受信回路
５  駆動回路
６  液晶ディスプレイ
７  操作キー群
８  アンテナ
９  送話部
１０  受話部
１１  半導体ガスセンサ
２１  ケース体
２２  受話口
２３  通話口兼吹込口
２４  吹抜口
２５  電池パック
２６  折り畳み機構
７１  電源ボタン
７２  測定ボタン
７３  開始ボタン
７４  終了ボタン
【図１】
0003830303.tif 000002
【図２】
0003830303.tif 000003
【図３】
0003830303.tif 000004
【図４】
0003830303.tif 000005
【図５】
0003830303.tif 000006